(57)【要約】【課題】二つ以上の投影型容量タッチコントロールＩＣを使用し大サイズのタッチパネルを走査する静電容量式タッチコントロール装置及びその制御方法の提供。【解決手段】静電容量式タッチコントロール装置は大サイズのタッチパネル、少なくとも一つの第１集積回路及び第２集積回路を有し、そのうち、該少なくとも一つの第１集積回路は該タッチパネルを走査し、該第２集積回路は全体の運転制御、データ受け取り、最後の演算及び外部とのコミュニケーション実行のほか、走査作業に関わる。このほか該少なくとも一つの第１集積回路は一部の演算を行なうことが可能である。【選択図】図３
2009252230.tif 000002
【特許請求の範囲】
【請求項１】
静電容量式タッチコントロール装置において、
タッチパネルと、
第２集積回路であって、少なくとも一つの第１集積回路と共に該タッチパネルを走査し、該第２集積回路は該少なくとも一つの第１集積回路からの走査データを受け取り演算を実行する、上記第２集積回路と、
を有することを特徴とする、静電容量式タッチコントロール装置。
【請求項２】
請求項１記載の静電容量式タッチコントロール装置において、該少なくとも一つの第１集積回路が軸交錯型の投影型容量タッチコントロールＩＣを有することを特徴とする、静電容量式タッチコントロール装置。
【請求項３】
請求項１記載の静電容量式タッチコントロール装置において、該少なくとも一つの第１集積回路が各自の走査の結果を演算して該走査データを生成することを特徴とする、静電容量式タッチコントロール装置。
【請求項４】
請求項１記載の静電容量式タッチコントロール装置において、該第２集積回路が軸交錯型の投影型容量タッチコントロールＩＣを有することを特徴とする、静電容量式タッチコントロール装置。
【請求項５】
請求項１記載の静電容量式タッチコントロール装置において、該第２集積回路が該静電容量式タッチコントロール装置の全体動作を制御することを特徴とする、静電容量式タッチコントロール装置。
【請求項６】
請求項１記載の静電容量式タッチコントロール装置において、該第２集積回路が外部とのコミュニケーションを請け負うことを特徴とする、静電容量式タッチコントロール装置。
【請求項７】
静電容量式タッチコントロール装置の制御方法において、該静電容量式タッチコントロール装置はタッチパネルを有し、該制御方法は、以下のステップ、すなわち、
少なくとも一つの第１集積回路及び一つの第２集積回路が該タッチパネルを走査するステップ、
該少なくとも一つの第１集積回路が走査により得た走査データを該第２集積回路に伝送するステップ、
該第２集積回路が該走査データと自身の走査の結果を演算して該タッチパネル上の物品の位置を判断するステップ、
を有することを特徴とする、静電容量式タッチコントロール装置の制御方法。
【請求項８】
請求項７の制御方法において、更に、該少なくとも一つの第１集積回路が各自の走査の結果を演算して該走査データを生成することを特徴とする、静電容量式タッチコントロール装置の制御方法。
【請求項９】
請求項７の制御方法において、更に、該第２集積回路を通して外部とコミュニケーションすることを特徴とする、静電容量式タッチコントロール装置の制御方法。
【請求項１０】
請求項７の制御方法において、更に、該第２集積回路を利用して該静電容量式タッチコントロール装置の全体運転を制御することを特徴とする、静電容量式タッチコントロール装置の制御方法。
【請求項１１】
静電容量式タッチコントロール装置において、
タッチパネルと、
複数の第１集積回路であって、該タッチパネルを走査するのに用いられる、上記複数の第１集積回路と、
第２集積回路であって、該複数の第１集積回路からの複数の走査データを受け取り演算を実行する、上記第２集積回路と、
を有することを特徴とする、静電容量式タッチコントロール装置。
【請求項１２】
請求項１１記載の静電容量式タッチコントロール装置において、該複数の第１集積回路が軸交錯型の投影型容量タッチコントロールＩＣを有することを特徴とする、静電容量式タッチコントロール装置。
【請求項１３】
請求項１１記載の静電容量式タッチコントロール装置において、該複数の第１集積回路が各自の走査の結果を演算して該複数の走査データを生成することを特徴とする、静電容量式タッチコントロール装置。
【請求項１４】
請求項１１記載の静電容量式タッチコントロール装置において、該第２集積回路が軸交錯型の投影型容量タッチコントロールＩＣを有することを特徴とする、静電容量式タッチコントロール装置。
【請求項１５】
請求項１１記載の静電容量式タッチコントロール装置において、該第２集積回路が該静電容量式タッチコントロール装置の全体動作を制御することを特徴とする、静電容量式タッチコントロール装置。
【請求項１６】
請求項１１記載の静電容量式タッチコントロール装置において、該第２集積回路が外部とのコミュニケーションを請け負うことを特徴とする、静電容量式タッチコントロール装置。
【請求項１７】
静電容量式タッチコントロール装置の制御方法において、該静電容量式タッチコントロール装置はタッチパネルを有し、該制御方法は、以下のステップ、すなわち、
複数の第１集積回路が該タッチパネルを走査して複数の走査データを生成するステップ、
該複数の走査データを第２集積回路に送るステップ、
該第２集積回路が該複数の走査データを演算して該タッチパネル上の物品の位置を判断するステップ、
を有することを特徴とする、静電容量式タッチコントロール装置の制御方法。
【請求項１８】
請求項１７の制御方法において、更に、該複数の第１集積回路が各自の走査の結果を演算して該走査データを生成することを特徴とする、静電容量式タッチコントロール装置の制御方法。
【請求項１９】
請求項１７の制御方法において、更に、該第２集積回路を通して外部とコミュニケーションすることを特徴とする、静電容量式タッチコントロール装置の制御方法。
【請求項２０】
請求項１７の制御方法において、更に、該第２集積回路を利用して該静電容量式タッチコントロール装置の全体運転を制御することを特徴とする、静電容量式タッチコントロール装置の制御方法。
【発明の詳細な説明】
【技術分野】
【０００１】
本発明は一種の静電容量式タッチコントロール装置に係り、特に、二つ以上の投影型容量タッチコントロールＩＣを使用し大サイズのタッチパネルを走査する静電容量式タッチコントロール装置及びその制御方法に関する。
【背景技術】
【０００２】
伝統的な応用では、大サイズの静電容量式タッチスクリーンはいずれも表面容量式センシング技術を使用している。但し表面容量式センシング技術はスクリーンの各端点に流れる一組の電流の違いにより手指の位置を判別し、これによりタッチパネルに接触する手指の数が２本以上の時、報告される電流組数は１組であり、ゆえに一組の絶対座標位置しか識別できず、例えば二次元マトリクスにあってわずかに一組のＸ，Ｙパラメータのみ報告できるだけであるため、多指タッチコントロールの機能を達成することはできない。
【０００３】
全てのタッチポイントを位置決め可能な（Ａｌｌ  Ｐｏｉｎｔｓ  Ａｄｄｒｅｓｓａｂｌｅ；ＡＰＡ）投影型容量センシング技術は多指タッチコントロールの機能を達成できるが、それは各ポイントセンサに対して充電放電の動作を行なう必要があり、マトリクス形状のタッチパネルでは、Ｘ軸とＹ軸のトレースが増加する時、ＡＰＡ型投影型容量式の画素数は急激に増加し、このためフレームレートが下降し、ゆえに大サイズタッチパネルの応用には不適用である。
【０００４】
また、一種の軸交錯（Ａｘｉｓ  Ｉｎｔｅｒｓｅｃｔ；ＡＩ）型表面容量式センシング技術も同様に多指タッチコントロールの機能を達成可能である。図１には伝統的な小サイズのタッチパネルに応用されるＡＩ型表面容量式センシング技術を示す。それは小サイズタッチパネル１０及びタッチパネル１０を走査するＡＩ型表面容量式タッチコントロールＩＣ１２を有する。最大で２２本のトレースを支援可能なＡＩ型表面容量式タッチコントロールＩＣ１２を例として説明すると、Ｘ軸及びＹ軸にそれぞれ１０本のトレースＴＲＸ１〜ＴＲＸ１０及びＴＲＹ１〜ＴＲＹ１０を有する小サイズタッチパネル１０に応用する時のフレームレートは悪くないものの、ＡＩ型表面容量式タッチコントロールＩＣ１２をＸ軸及びＹ軸にそれぞれ４０本のトレースＴＲＸ１〜ＴＲＸ４０及びＴＲＹ１〜ＴＲＹ４０を有する大サイズタッチパネル１４に応用する場合は、図２に示されるように、ＡＩ型表面容量式タッチコントロールＩＣ１２が走査可能な総トレース数量を増加しなければならない。しかし、タッチコントロールＩＣ１２が毎回コンデンサに対して充電放電を行なうために費やす時間は、全体のタッチパネル応用におけるフレームレートと較べて非常に大きく、すなわちフレームレート問題はタッチコントロールＩＣ１２の各フレームでのコンデンサに対する充電放電により決定され、ゆえに走査可能トレース数を増加する方法を大サイズタッチパネル１４に応用すると、非常に大きな欠点を有することになり得る。すなわち全体の応用上、フレームレートの下降が厳重となり、これにより応用端の性能に影響が生じる。
【０００５】
このため、大サイズパネルに応用され且つ多指タッチコントロール機能を具備し、良好なフレームレートのセンシング方法が必要とされている。
【発明の開示】
【発明が解決しようとする課題】
【０００６】
本発明の目的の一つは、二つ以上の投影型容量式タッチコントロールＩＣを使用して大サイズタッチパネルを走査する静電容量式タッチコントロール装置及びその制御方法を提供することにある。
【０００７】
本発明の別の目的は、大サイズタッチパネルに応用され且つ多指タッチコントロール機能と良好なフレームレートを具えた静電容量式タッチコントロール装置及びその制御方法を提供することにある。
【課題を解決するための手段】
【０００８】
本発明によると、静電容量式タッチコントロール装置及びその制御方法は、大サイズのタッチパネル、少なくとも一つの第１集積回路及び第２集積回路を有し、そのうち、該少なくとも一つの第１集積回路は該タッチパネルを走査し、該第２集積回路は全体の運転制御、データ受け取り、最後の演算及び外部とのコミュニケーション実行のほか、走査作業に関わる。
【発明の効果】
【０００９】
本発明は、大サイズパネルに応用され且つ多指タッチコントロール機能を具備し、良好なフレームレートのセンシング方法及びその装置を提供している。
【発明を実施するための最良の形態】
【００１０】
図３は本発明の第１実施例を表示し、静電容量式タッチコントロール装置２０は大サイズのタッチパネル２２及び二つのＡＩ型投影型容量式タッチコントロールＩＣ２４及び２６を有し、そのうち、タッチパネル２２はｍ本のトレースＴＲ１〜ＴＲｍを具え、副タッチコントロールＩＣ２４はトレースＴＲ１より走査開始しトレースＴＲｎまで走査し、主タッチコントロールＩＣ２６はトレースＴＲｎ或いはＴＲｎ＋１より走査開始しトレースＴＲｍまで走査し、これにより同時に同一のトレースに対して充電放電を行なう状況を防止する。当然、反対に、副タッチコントロールＩＣ２４がトレースＴＲｎより走査開始してトレースＴＲ１まで走査することも可能で、その場合、主タッチコントロールＩＣ２６はトレースＴＲｍより走査開始しトレースＴＲｎ或いはＴＲｎ＋１まで走査し、主タッチコントロールＩＣ２６はクロックＣＬＫを送出して副タッチコントロールＩＣ２４に提供し、同期に副タッチコントロールＩＣ２４のデータをキャプチャし、副タッチコントロールＩＣ２４は走査により得られた走査データＳＤＡを主タッチコントロールＩＣ２６に伝送し、主タッチコントロールＩＣ２６は副タッチコントロールＩＣ２４からの走査データＳＤＡ及び自身が走査により得た結果に対する最後の演算を行い、物品のタッチパネル２２上の位置を判断する。このほか主タッチコントロールＩＣ２６はさらに静電容量式タッチコントロール装置２０の全体の運転を制御すると共に外部とのコミュニケーションを請け負い、副タッチコントロールＩＣ２４も一部の演算を請け負うことで主タッチコントロールＩＣ２６の負荷を減らすことが可能である。例えば、副タッチコントロールＩＣ２４が先ずその走査の結果に対して演算を行い、その後、演算後の走査データＳＤＡを主タッチコントロールＩＣ２６に伝送してもよい。タッチコントロールＩＣ２４及び２６は同時に走査実行可能で且つそれぞれが一部のトレースの走査を負担することが可能で、仮にｍ＝４０でｎ＝２０とすると、これによりただ２０本のトレースを走査する時間で４０本のトレースを具備するタッチパネル２２を一回走査できゆえに、有効にフレームレートを改善できる。
【００１１】
図４は本発明の第２実施例を示し、静電容量式タッチコントロール装置３０中、三つのＡＩ型投影型容量式タッチコントロールＩＣ３４、３６及び３８を使用して大サイズのタッチパネル３２を走査する。そのうち、タッチパネル３２はｍ本のトレースＴＲ１〜ＴＲｍを具え、副タッチコントロールＩＣ３４はトレースＴＲ１より走査開始しトレースＴＲｋまで走査し、副タッチコントロールＩＣ３６はトレースＴＲｋ或いはＴＲｋ＋１より走査開始しトレースＴＲｎまで走査し、主タッチコントロールＩＣ３８はトレースＴＲｎ或いはＴＲｎ＋１より走査開始しトレースＴＲｍまで走査し、主タッチコントロールＩＣ３８はクロックＣＬＫを送出して副タッチコントロールＩＣ３４及び３６に提供すると共に、アドレス信号ＡＤを利用して副タッチコントロールＩＣ３４及び３６を選択し、副タッチコントロールＩＣ３４及び３６は走査により得られた走査データＳＤＡを主タッチコントロールＩＣ３８に伝送し、主タッチコントロールＩＣ３８は副タッチコントロールＩＣ３４及び３６からの走査データＳＤＡ及び自身が走査により得た結果に対する最後の演算を行い、物品のタッチパネル３２上の位置を判断する。このほか主タッチコントロールＩＣ３８はさらに静電容量式タッチコントロール装置３０の全体の運転を制御すると共に外部とのコミュニケーションを請け負い、副タッチコントロールＩＣ３４及び３６は走査を請け負うほかに、一部の演算を請け負うことで主タッチコントロールＩＣ３８の負荷を軽減することが可能である。タッチコントロールＩＣ３４、３６及び３８は同時に走査を実行して演算を行い且つそれぞれが一部のトレースのみの走査を請け負うことことにより、有効にフレームレートを改善できる。
【００１２】
図５は本発明の第３実施例を示し、静電容量式タッチコントロール装置４０は大サイズのタッチパネル４２及び三つのＡＩ型投影型容量式タッチコントロールＩＣ４４、４６及び４８を有する。そのうち、タッチパネル４２はｍ本のトレースＴＲ１〜ＴＲｍを具え、副タッチコントロールＩＣ４４はトレースＴＲ１より走査開始しトレースＴＲｎまで走査し、副タッチコントロールＩＣ４６はトレースＴＲｎ或いはＴＲｎ＋１より走査開始しトレースＴＲｍまで走査し、主タッチコントロールＩＣ４８は走査作業に参加せず、全体動作の制御、データ受信、最後の演算実行と外部とのコミュニケーションだけを請け負う。主タッチコントロールＩＣ４８はクロックＣＬＫを送出して副タッチコントロールＩＣ４４及び４６に提供すると共に、アドレス信号ＡＤを利用して副タッチコントロールＩＣ４４及び４６を選択し、副タッチコントロールＩＣ４４及び４６は走査により得られた走査データＳＤＡを主タッチコントロールＩＣ４８に伝送し、主タッチコントロールＩＣ４８は副タッチコントロールＩＣ４４及び４６からの走査データＳＤＡにより得た結果に対する最後の演算を行い、物品のタッチパネル４２上の位置を判断する。副タッチコントロールＩＣ４４及び４６は走査を請け負うほかに、一部の演算を請け負うことで主タッチコントロールＩＣ４８の負荷を軽減することが可能である。その他の実施例では、演算能力を具えたその他のＩＣをＡＩ型投影型容量式タッチコントロールＩＣ４８の代わりに使用可能である。
【００１３】
図６は本発明の第４実施例を示し、静電容量式タッチコントロール装置５０は大サイズのタッチパネル５２及び五つのＡＩ型投影型容量式タッチコントロールＩＣ５４、５６、５８、６０及び６２を有する。そのうち、副タッチコントロールＩＣ５４及び５６はタッチパネル５２の左側にあり、且つ副タッチコントロールＩＣ５４は副タッチコントロールＩＣ５６の上方にあり、副タッチコントロールＩＣ５８及び６０はタッチパネル５２の下方にあり、且つ副タッチコントロールＩＣ５８は副タッチコントロールＩＣ６０の左側にある。タッチパネル５２のＸ軸及びＹ軸はそれぞれ４０本のトレースＴＲＸ１〜ＴＲＸ４０及びＴＲＹ１〜ＴＲＹ４０を具えている。副タッチコントロールＩＣ５８はトレースＴＲＸ１より走査開始してＴＲＸ２０まで走査し、副タッチコントロールＩＣ６０はトレースＴＲＸ２０或いはＴＲＸ２１より走査開始してＴＲＸ４０まで走査し、副タッチコントロールＩＣ５６はトレースＴＲＹ１より走査開始してＴＲＹ２０まで走査し、副タッチコントロールＩＣ５４はトレースＴＲＹ２０或いはＴＲＹ２１より走査開始してＴＲＹ４０まで走査し、主タッチコントロールＩＣ６２は走査作業に参加せず、それはただ全体動作の制御、データ受信、最後の演算実行と外部とのコミュニケーションだけを請け負う。主タッチコントロールＩＣ６２はクロックＣＬＫを生成し副タッチコントロールＩＣ５４、５６、５８及び６０に送り、副タッチコントロールＩＣ５４、５６、５８及び６０は走査により得られた走査データＳＤＡを主タッチコントロールＩＣ６２に伝送し、主タッチコントロールＩＣ６２は副タッチコントロールＩＣ５４、５６、５８及び６０からの走査データＳＤＡに最後の演算を行い、物品のタッチパネル５２上の位置を判断する。副タッチコントロールＩＣ５４、５６、５８及び６０は走査を請け負うほかに、一部の演算を行なうことにより主タッチコントロールＩＣ６２の負荷を軽減する。副タッチコントロールＩＣ５４、５６、５８及び６０は同時に走査を実行でき且つそれぞれが一部のみのトレースの走査を請け負うため、有効にフレームレートを改善できる。その他の実施例では、その他の演算機能を具えたＩＣをＡＩ型表面容量式タッチコントロールＩＣの代わりに使用可能である。
【００１４】
図７は本発明の第５実施例を示し、静電容量式タッチコントロール装置７０は大サイズのタッチパネル７２及び五つのＡＩ型投影型容量式タッチコントロールＩＣ７４、７６、７８、８０及び８２を有する。そのうち、副タッチコントロールＩＣ７４及び７６はタッチパネル７２の右上方にあり、且つ副タッチコントロールＩＣ７４は副タッチコントロールＩＣ７６の右上方にあり、副タッチコントロールＩＣ７８及び８０はタッチパネル７２の左下方にあり、且つ副タッチコントロールＩＣ７８は副タッチコントロールＩＣ８０の右上方にある。タッチパネル７２のＸ軸及びＹ軸はそれぞれ４０本のトレースＴＲＸ１〜ＴＲＸ４０及びＴＲＹ１〜ＴＲＹ４０を具えている。副タッチコントロールＩＣ７８はトレースＴＲＸ１〜ＴＲＸ１０及びＴＲＹ１〜ＴＲＹ１０、副タッチコントロールＩＣ８０はトレースＴＲＸ１１〜ＴＲＸ２０及びＴＲＹ１１〜ＴＲＹ２０、副タッチコントロールＩＣ７４はトレースＴＲＸ２１〜ＴＲＸ３０及びＴＲＹ２１〜ＴＲＹ３０、副タッチコントロールＩＣ７６はトレースＴＲＸ３１〜ＴＲＸ４０及びＴＲＹ３１〜ＴＲＹ４０をそれぞれ走査し、主タッチコントロールＩＣ８２は走査作業に参加せず、それはただ全体動作の制御、データ受信、最後の演算実行と外部とのコミュニケーションだけを請け負う。主タッチコントロールＩＣ８２はクロックＣＬＫを生成し副タッチコントロールＩＣ７４、７６、７８及び８０に送り、副タッチコントロールＩＣ７４、７６、７８及び８０は走査により得られた走査データＳＤＡを主タッチコントロールＩＣ８２に伝送し、主タッチコントロールＩＣ８２はこの走査データＳＤＡに最後の演算を行う。副タッチコントロールＩＣ７４、７６、７８及び８０は走査を請け負うほかに、一部の演算を行なうことにより主タッチコントロールＩＣ８２の負荷を軽減する。副タッチコントロールＩＣ７４、７６、７８及び８０は同時に走査を実行でき且つそれぞれが一部のみのトレースの走査を請け負うため、有効にフレームレートを改善できる。その他の実施例では、その他の演算機能を具えたＩＣをＡＩ型表面容量式タッチコントロールＩＣ８２の代わりに使用可能である。
【００１５】
図８は本発明の第６実施例を示し、静電容量式タッチコントロール装置９０は大サイズのタッチパネル９２及び五つのＡＩ型投影型容量式タッチコントロールＩＣ９４、９６、９８、１００及び１０２を有する。そのうち、副タッチコントロールＩＣ９４、９６、９８及び１００はいずれもタッチパネル９２の左下方にあり、副タッチコントロールＩＣ９４は副タッチコントロールＩＣ９６の右上方にあり、副タッチコントロールＩＣ９６は副タッチコントロールＩＣ９８の右上方にあり、副タッチコントロールＩＣ９８は副タッチコントロールＩＣ１００の右上方にある。タッチパネル９２のＸ軸及びＹ軸はそれぞれ４０本のトレースＴＲＸ１〜ＴＲＸ４０及びＴＲＹ１〜ＴＲＹ４０を具えている。副タッチコントロールＩＣ９４はトレースＴＲＸ１〜ＴＲＸ１０及びＴＲＹ１〜ＴＲＹ１０、副タッチコントロールＩＣ９６はトレースＴＲＸ１１〜ＴＲＸ２０及びＴＲＹ１１〜ＴＲＹ２０、副タッチコントロールＩＣ９８はトレースＴＲＸ２１〜ＴＲＸ３０及びＴＲＹ２１〜ＴＲＹ３０、副タッチコントロールＩＣ１００はトレースＴＲＸ３１〜ＴＲＸ４０及びＴＲＹ３１〜ＴＲＹ４０をそれぞれ走査し、主タッチコントロールＩＣ１０２は走査作業に参加せず、それはただ全体動作の制御、データ受信、最後の演算実行と外部とのコミュニケーションだけを請け負う。主タッチコントロールＩＣ１０２はクロックＣＬＫを生成し副タッチコントロールＩＣ９４、９６、９８及び１００に送り、副タッチコントロールＩＣ９４、９６、９８及び１００は走査により得られた走査データＳＤＡを主タッチコントロールＩＣ１０２に伝送し、主タッチコントロールＩＣ１０２は走査により得られた走査データＳＤＡに最後の演算を行う。副タッチコントロールＩＣ９４、９６、９８及び１００は走査を請け負うほかに、一部の演算を行なうことにより主タッチコントロールＩＣ１０２の負荷を軽減する。副タッチコントロールＩＣ９４、９６、９８及び１００は同時に走査を実行でき且つそれぞれが一部のみのトレースの走査を請け負うため、有効にフレームレートを改善できる。その他の実施例では、その他の演算機能を具えたＩＣをＡＩ型表面容量式タッチコントロールＩＣ１０２の代わりに使用可能である。
【００１６】
図９は本発明の第７実施例を示し、静電容量式タッチコントロール装置１１０は大サイズのタッチパネル１１２及び五つのＡＩ型投影型容量式タッチコントロールＩＣ１１４、１１６、１１８、１２０及び１２２を有する。そのうち、副タッチコントロールＩＣ１１４、１１６はタッチパネル１１２の左下方にあり、且つ副タッチコントロールＩＣ１１４は副タッチコントロールＩＣ１１６の左下方にあり、副タッチコントロールＩＣ１１８及び１２０はタッチパネル１１２の右下方にあり、副タッチコントロールＩＣ１１８は副タッチコントロールＩＣ１２０の左上方にある。タッチパネル１１２のＸ軸及びＹ軸はそれぞれ４０本のトレースＴＲＸ１〜ＴＲＸ４０及びＴＲＹ１〜ＴＲＹ４０を具えている。副タッチコントロールＩＣ１１６はトレースＴＲＸ１〜ＴＲＸ１０及びＴＲＹ１〜ＴＲＹ１０、副タッチコントロールＩＣ１１４はトレースＴＲＸ１１〜ＴＲＸ２０及びＴＲＹ１１〜ＴＲＹ２０、副タッチコントロールＩＣ１２０はトレースＴＲＸ２１〜ＴＲＸ３０及びＴＲＹ２１〜ＴＲＹ３０、副タッチコントロールＩＣ１１８はトレースＴＲＸ３１〜ＴＲＸ４０及びＴＲＹ３１〜ＴＲＹ４０をそれぞれ走査し、主タッチコントロールＩＣ１２２は走査作業に参加せず、それはただ全体動作の制御、データ受信、最後の演算実行と外部とのコミュニケーションだけを請け負う。主タッチコントロールＩＣ１２２はクロックＣＬＫを生成し副タッチコントロールＩＣ１１４、１１６、１１８及び１２０に送り、且つアドレス信号ＡＤにより副タッチコントロールＩＣ１１４、１１６、１１８及び１２０を選択し、副タッチコントロールＩＣ１１４、１１６、１１８及び１２０は走査により得られた走査データＳＤＡを主タッチコントロールＩＣ１０２に伝送し、主タッチコントロールＩＣ１２２は走査により得られた走査データＳＤＡに最後の演算を行う。副タッチコントロールＩＣ１１４、１１６、１１８及び１２０は同時に走査を実行でき且つそれぞれが一部のみのトレースの走査を請け負うため、有効にフレームレートを改善できる。その他の実施例では、その他の演算機能を具えたＩＣをＡＩ型表面容量式タッチコントロールＩＣ１２２の代わりに使用可能である。
【００１７】
図６から図９は４種類の異なるレイアウトを表示し、副タッチコントロールＩＣの設置される位置の変更により、トレースと副タッチコントロールＩＣの間の配線長さに変化が生じ、これが静電容量式タッチコントロール装置の性能に影響を与える。このほか、図５から図９中、主タッチコントロールＩＣ４８、６２、８２、１０２及び１１２はパネル走査を請け負わず、ゆえに必ずしも静電容量式タッチコントロールＩＣである必要はなく、一般のＩＣを使用可能である。さらに、図３から図９中、その他の投影型容量式タッチコントロールＩＣをＡＩ型表面容量式タッチコントロールＩＣの代わりに使用可能であり、例えばＡＰＡ型静電容量式タッチコントロールＩＣを使用可能である。
【図面の簡単な説明】
【００１８】
【図１】伝統的な、小サイズのタッチパネルに応用されるＡＩ型表面容量式センシング技術の表示図である。
【図２】伝統的な、大サイズのタッチパネルに応用されるＡＩ型表面容量式センシング技術の表示図である。
【図３】本発明の第１実施例表示図である。
【図４】本発明の第２実施例表示図である。
【図５】本発明の第３実施例表示図である。
【図６】本発明の第４実施例表示図である。
【図７】本発明の第５実施例表示図である。
【図８】本発明の第６実施例表示図である。
【図９】本発明の第７実施例表示図である。
【符号の説明】
【００１９】
１０  小サイズタッチパネル                １２  タッチコントロールＩＣ
１４  大サイズタッチパネル                ２０  静電容量式タッチコントロール装置２２  大サイズタッチパネル                ２４  副タッチコントロールＩＣ
２６  主タッチコントロールＩＣ            ３０  静電容量式タッチコントロール装置３２  大サイズタッチパネル                ３４  副タッチコントロールＩＣ
３６  副タッチコントロールＩＣ            ３８  主タッチコントロールＩＣ
４０  静電容量式タッチコントロール装置    ４２  大サイズタッチパネル
４４  副タッチコントロールＩＣ            ４６  副タッチコントロールＩＣ
４８  主タッチコントロールＩＣ            ５０  静電容量式タッチコントロール装置５２  大サイズタッチパネル                ５４  副タッチコントロールＩＣ
５６  副タッチコントロールＩＣ            ５８  副タッチコントロールＩＣ
６０  副タッチコントロールＩＣ            ６２  主タッチコントロールＩＣ
７０  静電容量式タッチコントロール装置    ７２  大サイズタッチパネル
７４  副タッチコントロールＩＣ            ７６  副タッチコントロールＩＣ
７８  副タッチコントロールＩＣ            ８０  副タッチコントロールＩＣ
８２  主タッチコントロールＩＣ            ９０  静電容量式タッチコントロール装置９２  大サイズタッチパネル                ９４  副タッチコントロールＩＣ
９６  副タッチコントロールＩＣ            ９８  副タッチコントロールＩＣ
１００  副タッチコントロールＩＣ          １０２  主タッチコントロールＩＣ
１１０  静電容量式タッチコントロール装置  １１２  大サイズタッチパネル
１１４  副タッチコントロールＩＣ          １１６  副タッチコントロールＩＣ
１１８  副タッチコントロールＩＣ          １２０  副タッチコントロールＩＣ
１２２  主タッチコントロールＩＣ
【図１】
2009252230.tif 000003
【図２】
2009252230.tif 000004
【図３】
2009252230.tif 000005
【図４】
2009252230.tif 000006
【図５】
2009252230.tif 000007
【図６】
2009252230.tif 000008
【図７】
2009252230.tif 000009
【図８】
2009252230.tif 000010
【図９】
2009252230.tif 000011